(57)【要約】      （修正有）【課題】光源の数量を増やさず且つ消費電力を変えずに、照明をより明るくすることができるＬＥＤ照明の光共振器構造を提供する。【解決手段】台座１と、光反射素子１２と、少なくとも一つのＬＥＤモジュール２と、ランプカバー３と、からなる。前記光反射素子は、台座に一体成型されるか、独立した素子として台座に設けられ、ランプカバーと組み合わされて光共振器Ｃが形成される。ＬＥＤモジュールは光共振器内の台座に設けられる。ＬＥＤの光が射出する方向の対向する両側には、傾斜し且つ対称の光反射素子或いは錐形の光反射素子等が設けられ、前記光反射素子の内面は光反射面であり、ランプカバーは光反射素子に組み合わされる。【選択図】図１
0003178619.tif 000002
【実用新案登録請求の範囲】
【請求項１】
台座と、傾斜を有する光反射素子と、少なくとも一つのＬＥＤモジュールと、ランプカバーと、からなるＬＥＤ照明の光共振器構造であって、
前記台座と光反射素子とランプカバーを組み合わせることで光共振器が形成され、ＬＥＤモジュールは、光共振器内の台座に設けられ、光反射素子は、台座におけるＬＥＤの光が射出する方向に設けられ、
前記光反射素子における前記光共振器内部に面する内側面は光反射面であり、
ＬＥＤが発する光は、光反射面で収集されて反射するため、光反射素子の角度及び形状を変えることによって、広げる光の範囲を決定することができ、
前記光反射面は、平面或いは弧面であることを特徴とする、ＬＥＤ照明の光共振器構造。
【請求項２】
前記光反射素子は、前記台座の対称の両側に設けられ、前記光反射素子は、前記台座に一体成型で設けられるか、或いは、独立した素子として前記台座に設けられることを特徴とする、請求項１に記載のＬＥＤ照明の光共振器構造。
【請求項３】
前記光反射素子には、第一嵌合構造が設けられ、前記ランプカバーには、第二嵌合構造が設けられ、前記第一嵌合構造と前記第二嵌合構造が相互に嵌合されることで、前記ランプカバーは前記光反射素子に組み合わされ、前記第一嵌合構造は、前記光反射素子の外側面の凸部であり、前記第二嵌合構造は、前記ランプカバー内側面の凹溝であることを特徴とする、請求項１に記載のＬＥＤ照明の光共振器構造。
【考案の詳細な説明】
【技術分野】
【０００１】
本考案は照明用具に関し、特に光源の数量を増やさず且つ消費電力を変えずに、照明をより明るくすることができるＬＥＤ照明の光共振器構造に関する。
【背景技術】
【０００２】
一般的なＬＥＤ照明の構造は、主に、放熱器と、電源供給器と、ＬＥＤモジュールと、からなる。その内、ＬＥＤモジュールは、回路基板に、複数のＬＥＤを設けてなり、回路基板に電流を通すことで発光する。放熱器は、台座と、台座に設けられた複数のフィンとを備える。ＬＥＤモジュールは、台座におけるフィンと対向する面に設けられる。以上の構造により、ＬＥＤモジュールが通電して発光した時に生じた熱量が各フィンまで伝わり、さらに、気流によってフィンから放散した熱量を取り除くことができる。前述した従来のＬＥＤ照明装置は、必要とされる照明の明るさに応じて、必要な面積をもつＬＥＤモジュールと、必要な数量のＬＥＤチップを設け、さらに、対応する面積をもつ放熱器と、対応するパワーの電源供給器を合わせて用いなければならない。従って、使用するＬＥＤチップと電源パワーの増加により、製造コストが上がり、同時に、電力も消費する。
【考案の概要】
【考案が解決しようとする課題】
【０００３】
そこで、本考案は、従来のＬＥＤ照明が、照明の明るさを強めたい時には、ＬＥＤチップの数量を増やし電力供給のパワーをあげなければならず、それにより、製造コストと消費電力が増えてしまうという欠点を解決するために、光源の数量を増やさず且つ消費電力を変えずに、照明をより明るくすることができるＬＥＤ照明の光共振器構造を提供することを目的とする。
【課題を解決するための手段】
【０００４】
本考案のＬＥＤ照明の光共振器構造は、台座と、光反射素子と、少なくとも一つのＬＥＤモジュールと、ランプカバーと、からなる。前記光反射素子は、台座に一体成型されるか、独立した素子として台座に設けられ、ランプカバーと組み合わされて光共振器が形成される。ＬＥＤモジュールは光共振器内の台座に設けられる。ＬＥＤの光が射出する方向の対向する両側には、傾斜し且つ対称の光反射素子或いは錐形の光反射素子等が設けられ、前記光反射素子の内面は光反射面であり、ランプカバーは光反射素子に組み合わされる。ＬＥＤが発する光は、光反射面で収集されて反射するため、光反射素子の角度及び形状を変えることによって、広げる光の範囲を決定することができ、照明をより明るくすることができる。
【図面の簡単な説明】
【０００５】
【図１】本考案ＬＥＤ照明の光共振器構造の実施例１の平面断面図である。
【図２】本考案の実施例１のＬＥＤモジュールを台座に組み合わせた構造の一部を示した斜視図である。
【図３】本考案の実施例１のランプカバーを台座に組み合わせた構造の一部を示した斜視図である。
【図４Ａ】本考案によるＬＥＤ照明の光共振器構造の光反射面を平面にし、夾角を１２０°にした実施例を示した平面図である。
【図４Ｂ】本考案によるＬＥＤ照明の光共振器構造の光反射面を平面にし、夾角を６０°にした実施例を示した平面図である。
【図４Ｃ】本考案によるＬＥＤ照明の光共振器構造の光反射面を弧面にした実施例を示した平面図である。
【図５】本考案ＬＥＤ照明の光共振器構造の実施例２の平面断面図である。
【考案を実施するための形態】
【０００６】
（実施例１）
図１から図３を参照する。図１から図３は、本考案の実施例１を示している。本考案の実施例１は、台座１と、光反射素子１２と、ＬＥＤモジュール２と、ランプカバー３と、からなる。台座１の好ましい実施例では、優れた導熱及び放熱性を備えたアルミ金属材料を採用し、押し出し成型で長方体を形成させる。台座１の第一端には、電源供給器４を取り付けるための内部空間１１が形成され、台座１の第一端と反対の第二端には、ＬＥＤモジュール２が取り付けられ、台座１の第二端は、ＬＥＤ２２が光を射出する方向となる。台座１の外側面には、熱量を吸収するとともに放熱面積を拡大させるための複数のフィン１３が形成される。好ましくは、台座１の第二端の対向する両側には、傾斜し且つ対称の光反射素子１２が一体成型でそれぞれ設けられ、光反射素子１２の向かい合う内側面は光反射面１２２である。二つの光反射素子１２は、独立した素子にして、適切な固定方法で、台座１の向かい合う両側に貼りつけることもできる。光反射面１２２は平面にすることも、或いは、弧形面にすることもできる。そして、反射素子１２の角度及び形状を選択して、光反射面１２２で収集して反射させることにより  広げる光の範囲を決めることができる。
【０００７】
ＬＥＤモジュール２は、回路基板２１と、回路基板２１に設けられた複数のＬＥＤ２２を備え、回路基板２１は、台座１の第二端に設けられるとともに、内部空間１１に設けられた電源供給器４に電気的に接続される。電源供給器４は、外部電源（図示せず）に電気的に接続され、回路基板２１及びＬＥＤ２２に電流を供給して、ＬＥＤ２２を発光させる。
【０００８】
ランプカバー３の両側は、二つの光反射素子１２に組み合わされる。その組合せ構造は、二つの光反射素子１２に第一嵌合構造１２１をそれぞれ設け、ランプカバー３の対向する両側に第一嵌合構造１２１に嵌合できる第二嵌合構造３１をそれぞれ設け、第一嵌合構造１２１と第二嵌合構造３１を相互に嵌合させることで、ランプカバー３が光反射素子１２に組み合わされる。本考案の実施例では、第一嵌合構造１２１は、光反射素子１２の外側面の凸部であり、第二嵌合構造３１はランプカバー３内側面の凹溝であり、凹溝と凸部を相互にスライドさせながら嵌め込むことで、ランプカバー３を光反射素子１２に取り付けることができる。それにより、ランプカバー３と台座１の二つの光反射素子１２の間に、光共振器Ｃが形成される。なお、ＬＥＤ２２とランプカバー３の距離は、光共振器の長さＬである。光共振器の長さＬは、対称の光反射面１２２の夾角によって決定される。
【０００９】
例えば、図４Ａに示すように、本考案の二つの光反射素子１２の夾角θ１を１２０°にした時、ＬＥＤ２２から発した光は、光反射面１２２に投射された後、６０°の反射角でランプカバー３へと反射する。図４Ｂに示すように、本考案の二つの光反射素子１２の夾角θ２が６０°の時は、ＬＥＤ２２が発した光は光反射面１２２に投射された後、１２０°の反射角でランプカバー３へと反射する。以上により、光の範囲を広げることができる。
【００１０】
図４Ｃに示すように、本考案の二つの光反射素子１２の光反射面１２２弧面にすることができる。それにより、ＬＥＤ２２が発する光は弧面に投射された後、適切な反射角でランプカバー３へと反射される。以上により、光の範囲を広げることができる。
【００１１】
（実施例２）
前述した台座１、光反射素子１２、ＬＥＤモジュール２、ランプカバー３からなるＬＥＤ照明は、蛍光灯の形状をした照明器具であって、一般的に使用される蛍光灯の代わりに、広範囲に明るさが求められる場所に適用することができ、それにより、省エネ効果を達成することができる。また、本考案の光共振器結構は、同様に、電球型のＬＥＤ照明に適用することもできる。図５に示すように、本考案の実施例２では、円形の台座１に、電源台座に螺合するための導電ヘッド１４が設けられる。台座１には、同様に、ＬＥＤモジュール２、及び、台座１の光が射出される方向の周囲に直接形成される光反射素子１２、及び、光反射素子１２の内径が錐形を形成してなる光反射面１２２が設けられ、光反射素子１２には、一般の電球型のランプカバー３が設けられる。以上により、ランプカバー３と光反射面１２２及び台座１の間には、光共振器Ｃが形成される。ＬＥＤ２２から発した光は光反射面１２２に投射された後、さらにランプカバー３へと反射する。それにより、光の範囲を広げ、照明をより明るくさせることができる。
【符号の説明】
【００１２】
１        台座
１１      内部空間
１２      光反射素子
１２１    第一嵌合構造
１２２    光反射面
１３      放熱フィン
１４      導電ヘッド
２        ＬＥＤモジュール
２１      回路基板
２２      ＬＥＤ
３        ランプカバー
３１      第二嵌合構造
４        電源供給器
Ｃ        光共振器
Ｌ        光共振器の長さ
【図１】
0003178619.tif 000003
【図２】
0003178619.tif 000004
【図３】
0003178619.tif 000005
【図４Ａ】
0003178619.tif 000006
【図４Ｂ】
0003178619.tif 000007
【図４Ｃ】
0003178619.tif 000008
【図５】
0003178619.tif 000009